(57)【要約】【課題】使用状況に応じて容易に情報表示手段の視野角を変更し得る携帯端末装置を実現する。【解決手段】情報を表示する情報表示手段と、情報表示手段の表示面に配設された視野角変更手段と、視野角変更手段の視野角を変更することにより当該視野角変更手段を透過して視認される情報表示手段の視野角を変更する視野角制御手段とを携帯端末装置に設け、所定の操作手段を介して入力された入力操作に応じて、又は携帯端末装置が実行中のアプリケーションの種類に応じて視野角変更手段の視野角を制御するようにしたことにより、使用状況に応じて容易に情報表示手段の視野角を変更することができる。【選択図】　　　　図３
2004062094.tif 000002
【特許請求の範囲】
【請求項１】
情報を表示する情報表示手段と、
上記情報表示手段の表示面に配設された視野角変更手段と、
上記視野角変更手段の視野角を制御することにより、当該視野角変更手段を透過して視認される上記情報表示手段の視野角を変更する視野角制御手段と
を具えることを特徴とする携帯端末装置。
【請求項２】
上記視野角制御手段は、所定の操作手段を介して入力された入力操作に応じて上記視野角変更手段の視野角を制御する
ことを特徴とする請求項１に記載の携帯端末装置。
【請求項３】
上記視野角制御手段は、上記携帯端末装置が実行中のアプリケーションの種類に応じて上記視野角変更手段の視野角を制御する
ことを特徴とする請求項１に記載の携帯端末装置。
【請求項４】
上記視野角変更手段は、２枚のガラス基板と、上記２枚のガラス基板の間に封入された液晶と、上記２枚のガラス基板それぞれの外面にそれぞれ配置された２枚の偏光板と、上記２枚のガラス基板それぞれの内面全面にそれぞれ配置された２枚の電極とを有する液晶板でなり、
上記視野角制御手段は、上記２枚の電極間に電圧を印加して上記液晶の配向を変更することにより上記視野角変更手段の視野角を制御する
ことを特徴とする請求項１に記載の携帯端末装置。
【請求項５】
情報を表示する情報表示手段と、
上記情報表示手段の表示面に配設された視野角変更手段と、
上記視野角変更手段の視野角を制御することにより、当該視野角変更手段を透過して視認される上記情報表示手段の視野角を変更する視野角制御手段と
を具えることを特徴とする視野角可変表示装置。
【発明の詳細な説明】
【０００１】
【発明の属する技術分野】
本発明は携帯端末装置及び視野角可変表示装置に関し、例えば携帯電話機に適用して好適なものである。
【０００２】
【従来の技術】
近年、携帯電話機においては多機能化が進んでおり、音声通話のみならず、電子メールの送受信、ＷＷＷ（Ｗｏｒｌｄ　Ｗｉｄｅ　Ｗｅｂ）上のホームページや写真の閲覧等の各種情報通信を行い得るようになされている。
【０００３】
【発明が解決しようとする課題】
ここで、電車やバスの車内等における混雑状況下において携帯電話機を使用した場合、当該携帯電話機の表示部に表示した表示内容を周囲の他人に覗き見される可能性があるという問題がある。特に、送信メールの作成や受信メールの閲覧等の電子メール処理においては、その表示内容を覗き見されることはプライバシー上好ましくない。
【０００４】
かかる問題に対する解決方法として、偏光フィルタでなる視野角制限フィルタを表示部の表面に貼付し、当該視野角制限フィルタによって表示部の視野角を制限（狭角度化）することにより覗き見を防止することが行われている。
【０００５】
これに対し、例えば電子メールに添付された写真等を複数人で同時に閲覧する場合は、表示部の視野角は広い方が良く、この場合表示部に貼付した視野角制限フィルタを剥離する必要がある。
【０００６】
このように視野角制限フィルタを用いた場合、携帯電話機の使用状況に応じて当該視野角制限フィルタの剥離や再貼付を繰り返す必要があり、使い勝手が悪いという問題があった。
【０００７】
本発明は以上の点を考慮してなされたもので、使用状況に応じて、簡易な操作で容易に情報表示手段の視野角を変更し得る携帯端末装置及び視野角可変表示装置を提案しようとするものである。
【０００８】
【課題を解決するための手段】
かかる課題を解決するため本発明においては、情報を表示する情報表示手段と、情報表示手段の表示面に配設された視野角変更手段と、視野角変更手段の視野角を制御することにより当該視野角変更手段を透過して視認される情報表示手段の視野角を変更する視野角制御手段とを携帯端末装置に設けた。
【０００９】
そして、視野角制御手段は、所定の操作手段を介して入力された入力操作に応じて視野角変更手段の視野角を制御するようにした。
【００１０】
また、視野角制御手段は、携帯端末装置が実行中のアプリケーションの種類に応じて視野角変更手段の視野角を制御するようにした。
【００１１】
また、視野角変更手段は、２枚のガラス基板と、当該２枚のガラス基板の間に封入された液晶と、当該２枚のガラス基板それぞれの外面にそれぞれ配置された２枚の偏光板と、当該２枚のガラス基板それぞれの内面全面にそれぞれ配置された２枚の電極とを有する液晶板でなり、視野角制御手段は、２枚の電極間に電圧を印加して液晶の配向を変更することにより視野角変更手段の視野角を制御するようにした。
【００１２】
所定の操作手段を介して入力された入力操作に応じて、又は携帯端末装置が実行中のアプリケーションの種類に応じて視野角変更手段の視野角を制御するようにしたことにより、使用状況に応じて、簡易な操作で容易に情報表示手段の視野角を変更することができる。
【００１３】
【発明の実施の形態】
以下図面について、本発明の一実施の形態を詳述する。
【００１４】
（１）携帯電話機の全体構成
図１において、１は本発明を適用した携帯端末装置としての携帯電話機を示し、中央のヒンジ部４を境に、上側筐体２と下側筐体３とに分けられており、当該ヒンジ部４を介して折り畳み可能に形成されている。
【００１５】
上側筐体２においては、当該上側筐体２の背面における上端右側に、送受信用のアンテナ５が引き出し及び収納可能な状態に取り付けられており、当該アンテナ５を介して基地局（図示せず）との間で電波を送受信するようになされている。
【００１６】
また、上側筐体２の正面には、ＬＣＤ（　Ｌｉｑｕｉｄ　Ｃｒｙｓｔａｌ　Ｄｉｓｐｌａｙ　：液晶ディスプレイ）でなる主表示部６が設けられており、携帯電話機１の各種機能に対応したメニュー、電波の受信状態、電池残量、発信履歴、着信履歴、電子メール文、電話帳、スケジュール、画像等のあらゆる情報を当該主表示部６に表示し得るようになされている。
【００１７】
さらに、上側筐体２の正面における主表示部６の上側にはスピーカ７が設けられており、受信した通信先ユーザの音声や着信通知音を再生するようになされている。
【００１８】
一方下側筐体３には、その表面下部に、通話時のユーザの音声を集音し得るマイクロホン８が設けられている。また下側筐体３には、その表面中央に「０」〜「９」の数字キー、発呼キー、リダイアルキー、終話及び電源キー、クリアキー及び電子メールキー等の各種操作子からなる操作部９が設けられている。
【００１９】
このように携帯電話機１においては、上側筐体２と下側筐体３とが開閉自在に連結されていることから、その閉状態（折り畳み状態）において、筐体表面に設けられた主表示部６や操作部９を筐体相互で被覆して保護するとともに、携帯電話機１全体の寸法を小型化し得るようになされている。
【００２０】
なお下側筐体３には、その背面側に図示しないバッテリパックが装着されており、操作部５の操作により電源が投入されると、当該バッテリパックから内部の回路ブロックに対して電力を供給し、携帯電話機１を起動して動作可能な状態にするようになされている。
【００２１】
また携帯電話機１においては、上側筐体２の正面におけるヒンジ部４近傍に略円柱状の突起部１０が設けられているとともに、下側筐体３の正面における突起部１０に対応する位置に開閉検出部１１が設けられており、筐体を閉じた状態で突起部１０が開閉検出部１１を押圧することにより、当該開閉検出部１１を介して筐体の開閉状態を検出し得るようになされている。
【００２２】
また図２に示すように、上側筐体２の背面２Ａには、主表示部６に比べて小型の副表示部１２が設けられており、現在時刻、電波強度、着信履歴等の各種情報を、筐体を閉じた状態においてもユーザに通知し得るようになされている。さらに下側筐体３の側面部には、副表示部１２のバックライトを点灯させるためのサイドボタン１３が設けられており、筐体を閉じた状態において、サイドボタン１３の押下操作に応じて副表示部１２を照明し、夜間等における当該副表示部１２の視認性を向上し得るようになされている。
【００２３】
かかる構成に加えてこの携帯電話機１においては、主表示部６の表面に視野角変更液晶板（後述）が密着して設けられており、後述する表示制御処理に従い、筐体を開いた状態において、操作手段としてのサイドボタン１３の押下に応じて視野角制御液晶板をオン又はオフすることにより、主表示部６の視野角を変更し得るようになされている。
【００２４】
（２）携帯電話機の回路構成
次に、携帯電話機１の回路構成を図３に示すブロック図を用いて説明する。携帯電話機１においては、当該携帯電話機１の各種機能を統括的に制御するＣＰＵ（Ｃｅｎｔｒａｌ　Ｐｒｏｃｅｓｓｉｎｇ　Ｕｎｉｔ　）２０に対して、ＣＰＵ２０が実行する表示制御プログラム等の各種プログラムを記憶したＲＯＭ（Ｒｅａｄ　Ｏｎｌｙ　Ｍｅｍｏｌｙ）２２、ＣＰＵ２０のワークエリアとして用いられるＲＡＭ（Ｒａｎｄｏｍ　Ａｃｃｅｓｓ　Ｍｅｍｏｒｙ）２３、電話帳や携帯電話機１０の設定等の各種データを記憶しておくためのＥＥＰＲＯＭ（Ｅｌｅｃｔｒｉｃａｌｌｙ　Ｅｒａｓａｂｌｅ　＆　Ｐｒｏｇｒａｍｍａｂｌｅ　ＲＯＭ）２４、年月日及び時刻データを供給するＲＴＣ（Ｒｅａｌ　Ｔｉｍｅ　Ｃｌｏｃｋ　）２５、携帯電話機１の入出力を制御するＩ／Ｏ（Ｉｎｐｕｔ／Ｏｕｔｐｕｔ）制御部２６、及び送受信部２７のベースバンド処理部２８がバス２１を介して接続されている。またＣＰＵ２０には、携帯電話機１の筐体の開閉状態を検出する開閉検出部１１が接続されている。
【００２５】
さらにＩ／Ｏ制御部２６には操作部５、サイドボタン１３及び主表示部６の視野角変更液晶板６Ｂが接続されているとともに、それぞれ主表示制御部２９及び副表示制御部３０を介して主表示部６及び副表示部１２が接続されている。
【００２６】
そして携帯電話機１のＣＰＵ２０は、操作部５を介して入力された各種処理命令に応じて送受信部２７を制御することにより、発呼処理や終話処理等の各種通信処理を実行する。
【００２７】
この場合、送受信部２７のベースバンド処理部２８はＣＰＵ２０の制御に応じて、マイクロホン８で集音した後マイクアンプ３１で増幅された送信音声信号を、Ａ／Ｄ（Ａｎａｌｏｇ／Ｄｉｇｉｔａｌ）変換した後圧縮することにより送信ベースバンド信号を生成し、これをＱＰＳＫ（Ｑｕａｄｒａｔｕｒｅ　Ｐｈａｓｅ　Ｓｈｉｆｔ　Ｋｅｙｉｎｇ　）変調部３２に供給する。
【００２８】
ＱＰＳＫ変調部３２は、入力した送信ベースバンド信号を、局発部３３から供給されるＩＦローカル信号でＱＰＳＫ変調してＩ成分及びＱ成分からなる送信信号を生成し、オフセットシンセサイザ３４に供給する。
【００２９】
オフセットシンセサイザ３４は、局発部３３から供給されるＲＦローカル信号と送信信号とを混合することにより送信信号を周波数変換し、さらにパワーアンプ３５で増幅した後アンテナ共用器３６を介してアンテナ２に供給することにより、送信信号を所定の送信周波数でアンテナ５から送信する。
【００３０】
また送受信部２７は、アンテナ５で受信した受信信号を、アンテナ共用器３６を介してバンドパスフィルタ３７に供給して帯域制限した後、ＬＮＡ（Ｌｏｗ　Ｎｏｉｓｅ　Ａｍｐ　）３８で増幅して復調器３９に供給する。
【００３１】
一方移相器４０は、局発部３３から供給されるＲＦローカル信号の位相をシフトして９０°位相の異なる２つのＲＦローカル信号を生成し、これらを復調器３９に供給する。
【００３２】
復調器４０が有する２つの混合器４０Ａ及び４０Ｂは、それぞれ対応するＲＦローカル信号を受信信号に混合することにより、それぞれＩ成分及びＱ成分でなる２つの受信ベースバンド信号を生成し、これらを対応するローパスフィルタ４１Ａ及び４１Ｂ、並びにプログラマブルゲインアンプ４２Ａ及び４２Ｂを介して帯域制限やゲイン調整等を施した後、ベースバンド処理部２８に供給する。
【００３３】
ベースバンド処理部２８は、受信ベースバンド信号を伸張及びＤ／Ａ（Ｄｉｇｉｔａｌ／Ａｎａｌｏｇ）変換して受信音声信号を生成し、これをスピーカアンプ４３で増幅した後スピーカ７を介して出力する。
【００３４】
また、携帯電話機１のＣＰＵ２０は、操作部５を介して入力された各種処理命令に応じ、Ｉ／Ｏ制御部２６を介して主表示制御部２９及び副表示制御部３０を制御することにより、当該各種処理命令に応じた情報を主表示部６及び副表示部１２に表示する。
【００３５】
このときＣＰＵ２０は、筐体を開いた状態においては主表示部６及び副表示部１２の双方に情報を表示するのに対し、筐体を閉じた状態においては副表示部１２のみに情報を表示することにより携帯電話機１の消費電力を削減するようになされている。
【００３６】
（３）主表示部の構成
次に、主表示部６の構成を図４を用いて説明する。
【００３７】
図４に示すように、視野角可変表示装置としての主表示部６においては、ＴＦＴ（Ｔｈｉｎ　Ｆｉｌｍ　Ｔｒａｎｓｉｓｔｏｒ）型ＬＣＤでなる表示用ＬＣＤ５０の裏面側にバックライト５１が密着して設けられており、当該バックライト５１によって表示用ＬＣＤ６Ａを透過照明するようになされている。
【００３８】
また主表示部６においては、視野角変更手段としての視野角変更液晶板５２が、情報表示手段としての表示用ＬＣＤ５０の表面側に設けられており、更に当該視野角変更液晶板５２の表面側に、主表示部６全体を保護するためのアクリルパネル５３が設けられている。
【００３９】
図５に示すように表示用ＬＣＤ５０は、２枚のガラス基板５５Ａ及び５５Ｂの間に液晶５６を封入してなり、ガラス基板５５Ａの内面には主表示部６の表示画素に対応した複数の画素電極５７Ａが複数配置されているのに対し、ガラス基板５０Ｂの内面の全面には、透明な共通電極５７Ｂが配置されている。
【００４０】
さらに表示用ＬＣＤ５０においては、複数のスイッチングトランジスタ及び電荷蓄積用コンデンサ（図示せず）が各画素電極に対応して設けられている。そして、主表示制御部２９から供給される画像信号でスイッチングトランジスタを駆動することにより画素電極と共通電極の間に電圧を印加し、印加電圧に応じて各画素毎の液晶分子の配向方向を変化させるとともに、当該印加電圧を電荷蓄積用コンデンサで保持する。
【００４１】
２枚のガラス基板５５Ａ及び５５Ｂの外面にはそれぞれ偏光板５７Ａ及び５７Ｂが設けられており、偏光板５８Ａ〜液晶５６〜偏光板５８Ｂを透過する光量が液晶分子の配向方向に応じて制御され、かくして主表示部６においては、主表示制御部２９から供給される画像信号に応じた画像を表示する。
【００４２】
一方、視野角変更液晶板５２は、表示用ＬＣＤ５０と同様に、２枚のガラス基板５９Ａ及び５９Ｂの間に液晶５６を封入するとともに、当該ガラス基板５９Ａ及び５９Ｂの外面にそれぞれ偏光板６０Ａ及び６０Ｂを設けて構成される。
【００４３】
ここで視野角変更液晶板５２においては、表示用ＬＣＤ５０とは異なり、ガラス基板５９Ａ及び５９Ｂそれぞれの内面の全面に渡って、透明な共通電極６１が配置されている。そして視野角変更液晶板５２においては、Ｉ／Ｏ制御部２６から供給される制御信号に応じて２つの共通電極６１間に電圧を印加し、当該視野角変更液晶板５２全体の液晶分子の配向方向を変化させる。
【００４４】
すなわち共通電極６１間に電圧を印加したオン状態においては、視野角変更液晶板５２の液晶分子は印加電圧に応じた角度に一斉に配向し、これにより視野角変更液晶板５２は、当該視野角変更液晶板５２を透過して表示用ＬＣＤ５０を視認した場合の視野角を制限する。このときの主表示部６の視野角は約６０°となり、この状態を狭視野角モードと呼ぶ。これに対して共通電極６１間に電圧を印加していないオフ状態においては、視野角変更液晶板５２の液晶分子はばらばらな方向に配向しており、このとき視野角変更液晶板５２は表示用ＬＣＤ５０の視野角を制限しない。このときの主表示部６の視野角は約１３０°となり、この状態を広視野角モードと呼ぶ。
【００４５】
かくして主表示部６においては、視野角変更液晶板５２をオン状態又はオフ状態とすることにより、表示用ＬＣＤ５０の視野角を可変し得るようになされている。
【００４６】
（４）携帯電話機の表示制御処理手順
次に、上述した主表示部６の視野角変更等を制御する表示制御処理手順を、図６に示すフローチャートを用いて説明する。
【００４７】
携帯電話機１のＣＰＵ２０は表示制御処理プログラムに従い、ルーチンＲＴ１の開始ステップから入ってステップＳＰ１に移る。ステップＳＰ１においてＣＰＵ２０は、操作手段としてのサイドボタン１３が押下されているか否かを判断する。ステップＳＰ１において否定結果が得られた場合、このことはサイドボタン１３が押下されていないことを表しており、このときＣＰＵ２０はステップＳＰ１に戻り、サイドボタン１３の押下を待ち受ける。
【００４８】
これに対してステップＳＰ１において肯定結果が得られた場合、このことはユーザによってサイドボタン１３が押下されたことを表しており、このときＣＰＵ２０はステップＳＰ２に移る。
【００４９】
ステップＳＰ２においてＣＰＵ２０は、携帯電話機１の筐体が開状態にあるか否かを判断する。ステップＳＰ２において筐体が閉状態にある場合、ＣＰＵ２０はステップＳＰ６に移り、サイドボタン１３の押下に応じて副表示部１２のバックライトを点灯し、ステップＳＰ１に戻る。
【００５０】
これに対してステップＳＰ２において筐体が開状態にある場合、ＣＰＵ２０はステップＳＰ３に移る。
【００５１】
ステップＳＰ３においてＣＰＵ２０は、主表示部６の表示モードが広視野角モードであるか否かを判断する。ステップＳＰ３において、主表示部６の表示モードが広視野角モードである場合、視野角制御手段としてのＣＰＵ２０はステップＳＰ４に移り、視野角変更液晶板５２をオン状態に制御して主表示部６の表示モードを広視野角モードから狭視野角モードに変更し、ステップＳＰ１に戻る。
【００５２】
これに対して、ステップＳＰ３において主表示部６の表示モードが狭視野角モードである場合、視野角制御手段としてのＣＰＵ２０はステップＳＰ４に移り、視野角変更液晶板５２をオフ状態に制御して主表示部６の表示モードを狭視野角モードから広視野角モードに変更し、ステップＳＰ１に戻る。
【００５３】
かくして携帯電話機１のＣＰＵ２０は、筐体が閉状態にある場合、サイドボタン１３の押下に応じて副表示部１２のバックライトを点灯するのに対し、筐体が開状態にある場合、図７に示すように、サイドボタン１３の押下に応じて主表示部６の表示モードを広視野角モードと狭視野角モードとに交互に変更する。
【００５４】
（５）動作及び効果
以上の構成において、この携帯電話機１では、主表示部６の表示用ＬＣＤ５０の表面側に視野角変更液晶板５２を設け、サイドボタン１３の押下に応じて当該視野角変更液晶板５２をオン状態又はオフ状態に制御して視野角を変更する。
【００５５】
これにより携帯電話機１においては、サイドボタン１３を押下するだけで、容易に主表示部６の視野角を変更することができる。
【００５６】
さらに携帯電話機１においては、サイドボタン１３の押下操作に応じて、筐体が閉状態にあるときは副表示部１２のバックライトを点灯し、筐体が開状態にあるときは主表示部６の視野角を変更するようにしたことにより、視野角変更用のボタン等を新たに設ける必要がなく、簡易な構成で、容易に主表示部６の視野角を変更することができる。
【００５７】
（６）他の実施の形態
なお上述の実施の形態においては、本発明を携帯電話機に適用した場合について述べたが、本発明はこれに限らず、ノートパソコンやＰＤＡ等、表示手段を有する様々な携帯端末装置に本発明を適用することができる。
【００５８】
また上述の実施の形態においては、携帯電話機１の筐体が閉状態のとき、サイドボタンの押下に応じて主表示部６の視野角を変更するようにしたが、本発明はこれに限らず、実行中のアプリケーションの種類に応じて主表示部６の視野角を変更するようにしてもよい。
【００５９】
例えば、送信メールの作成や受信メールの閲覧等、画面を一人で見ることが考えられるアプリケーションの実行中においては主表示部６の表示モードを狭視野角モードに制御し、画像の閲覧等の画面を複数人で見ることが考えられるアプリケーションの実行中においては主表示部６の表示モードを広視野角モードに制御するようにすれば、特段の操作を行うことなく、用途に応じた最適な視野角に主表示部６を自動的に制御することができる。
【００６０】
【発明の効果】
上述のように本発明によれば、情報を表示する情報表示手段と、当該情報表示手段の表示面に配設された視野角変更手段と、視野角変更手段の視野角を制御することにより当該視野角変更手段を透過して視認される情報表示手段の視野角を変更する視野角制御手段とを携帯端末装置に設け、所定の操作手段を介して入力された入力操作に応じて、又は携帯端末装置が実行中のアプリケーションの種類に応じて視野角変更手段の視野角を制御するようにしたことにより、使用状況に応じて、簡易な操作で容易に情報表示手段の視野角を変更し得る携帯端末装置を実現し得る。
【図面の簡単な説明】
【図１】本発明による携帯電話機の外観構成を示す略線図である。
【図２】副表示部とサイドボタンの配置を示す略線図である。
【図３】本発明による携帯電話機の回路構成を示すブロック図である。
【図４】表示部の構成を示す略線図である。
【図５】表示用ＬＣＤと視野角制御液晶板の構成を示す略線図である。
【図６】表示制御処理手順を示すフローチャートである。
【図７】視野角の変更状態を示す略線図である。
【符号の説明】
１……携帯電話機、２……上側筐体、３……下側筐体、４……ヒンジ部、５……アンテナ、６……主表示部、７……スピーカ、８……マイクロホン、９……操作部、１０……突起部、１１……開閉検出部、１２……副表示部、１３……サイドボタン、２０……ＣＰＵ、２６……Ｉ／Ｏ制御部、２９……主表示制御部、３０……副表示制御部、５０……表示用ＬＣＤ、５１……バックライト、５２……視野角変更液晶板。
【図１】
2004062094.tif 000003
【図２】
2004062094.tif 000004
【図３】
2004062094.tif 000005
【図４】
2004062094.tif 000006
【図５】
2004062094.tif 000007
【図６】
2004062094.tif 000008
【図７】
2004062094.tif 000009